(57)【要約】【課題】コンタクト端子において、試験中、ＩＣソケットのソケット本体に載置されたＢＧＡ型のパッケージの半導体装置の電極面が一方向に反った場合、あるいは、電極面が上下に浮き沈む場合であっても、半導体装置の電極部におけるコンタクト端子の可動接点部相互間からの離脱、および、半導体装置の電極部の損傷を回避できること。【解決手段】可動片部１６Ａの第１当接部１６ａ１および第２当接部１６ａ３と，可動片部１６Ｂの第１当接部１６ｂ１および第２当接部１６ｂ３とが、半導体装置１２のバンプ１２ａｉの球面に食い込んで挟持した状態で、試験中、半導体装置１２の電極面が上向きに反った場合、バンプ１２ａｉが上昇せしめられるとき、可動片部１６Ａの係止部１６ａ２の傾斜面と可動片部１６Ｂの係止部１６ｂ２の傾斜面とが、バンプ１２ａｉの球面を係止するもの。【選択図】図７
2020061378.tif 000002
【特許請求の範囲】
【請求項１】
半導体装置における球状電極部に選択的に当接する一対の可動片部と、該各可動片部の基端部に連結される端子部と、を備え、
前記一対の可動片部のうちの一方の可動片部の接点部は、該可動片部の長手方向に沿って所定の間隔をもって互いに向い合って先端に向けて延び、前記球状電極部の球面に当接し、先端に向けて延びる一対の当接部と、該各当接部の先端に交差し該当接部の先端に連結され前記球状電極部を係止する斜面部を有する係止部とを有し、前記一対の可動片部のうちの他方の可動片部の接点部は、該可動片部の長手方向に沿って所定の間隔をもって互いに向い合って先端に向けて延び、前記球状電極部の球面に当接し、先端に向けて延びる一対の当接部と、該各当接部の先端に交差し該当接部の先端に連結され前記球状電極部を係止する斜面部を有する係止部とを有し、
前記当接部の断面の一つの頂点を連ねる稜線が前記係止部の断面の一つの頂点を連ねる稜線よりもさらに外方に突出し、該当接部の稜線が前記球状電極部の球面に当接し食い込んだ状態のとき、前記斜面部が、前記球状電極部の球面における前記当接部の稜線に対し交差する隣接した部分を係止することを特徴とするコンタクト端子。
【請求項２】
請求項１に記載のコンタクト端子を備えるソケット本体部と、
前記ソケット本体部に設けられ、球状電極部を有する半導体装置が着脱可能に載置される半導体装置載置部と、
前記ソケット本体部に移動可能に設けられ、前記コンタクト端子の一対の可動片部のうちの少なくとも一方を前記球状電極部に対し近接または離隔させるように作動させる可動片部駆動機構部と、
を具備して構成されるＩＣソケット。
【発明の詳細な説明】
【技術分野】
【０００１】
本発明は、コンタクト端子、および、それを備えるＩＣソケットに関する。
【背景技術】
【０００２】
電子機器などに実装される種々の半導体装置においては、実装される以前の段階で種々の試験、例えば、バーンイン試験等が行われることにより、その潜在的欠陥が除去される。このような試験に供される半導体装置用ソケットは、一般に、ＩＣソケットと称され、プリント配線基板としてのテストボードまたはバーンインボード上に配される。
【０００３】
ＩＣソケットは、例えば、特許文献１乃至特許文献３にも示されるように、半導体装置の端子と上述のプリント配線基板の電極部とを電気的に接続する複数のコンタクト端子を備えている。被検査物として例えば、ＢＧＡ（Ｂａｌｌ  Ｇｒｉｄ  Ａｒｒａｙ）型のパッケージ内に内蔵される形式の半導体装置においては、利用されるコンタクト端子は、例えば、特許文献１に示されるように、半導体装置における球状の電極部の直径の大小に応じて適正な位置で挟持するように、上下方向に延びる第１突起を有する第１接触片と、所定の間隔をもって互いに平行に上下方向に延びる第２突起および第３突起を有する第２接触片と、第１接触片と第２接触片とを向かい合わせた状態で第１接触片の下端および第２接触片の下端を連結する連結部と、連結部に連なる固定端子部とから構成されるものが提案されている。これにより、バーンイン試験中、第１突起、第２突起および第３突起は、第１接触片および第２接触片の弾性力に応じて半導体装置における球状の電極部に食い込み、コンタクト端子と半導体装置における球状の電極部との確実な電気的接続が得られることとなる。
【０００４】
また、ＢＧＡ型のパッケージの半導体装置において、利用されるコンタクト端子は、例えば、特許文献２に示されるように、コンタクト端子の接触部と半導体装置における球状の電極部との貼り付きにより、試験後、一対の接触部が球状の電極部に対し剥がれ難くなる事態を回避すべく、互いに向き合う一対の弾性接片の先端の接触部の突起が、接触した球状の電極部の共通の円形断面の円に接する斜めの直線と一致するように形成されているものが提案されている。これにより、接触部の突起が、球状の電極部から良好に離隔され、セルフクリーニング効果が得られることとなる。
【０００５】
さらに、ＢＧＡ型のパッケージの半導体装置において、利用されるコンタクト端子は、例えば、特許文献３に示されるように、一対の可動片部の接点部の当接端が、球状の電極部の最大直径部分を挟持するように、傾斜した当接端を有するものが提案されている。
【先行技術文献】
【特許文献】
【０００６】
【特許文献１】特開２０００−９７５２号公報
【特許文献２】特開２００３−２９７５１４号公報
【特許文献３】特開２００８−７７９８８号公報
【発明の概要】
【発明が解決しようとする課題】
【０００７】
バーンイン試験が行われる場合、試験中、半導体素子の発熱、あるいは、外的要因により、ＩＣソケットに作用した衝撃による振動が原因で電極面が上下に浮き沈みする場合等により、ＩＣソケットのソケット本体に載置されたＢＧＡ型のパッケージの半導体装置の電極面が上向きあるいは下向きに反る場合がある。このような場合、特許文献１に示されるコンタクト端子がＩＣソケットに備えられるとき、コンタクト端子の第１接触片、第２接触片における第１突起、第２突起および第３突起が、互いに平行に上下方向に延びているので球状の電極部が、第１接触片、第２接触片相互間から上方に抜け出る場合がある。また、特許文献２に示されるコンタクト端子がＩＣソケットに備えられるとき、ＢＧＡ型のパッケージの半導体装置の電極面が下向きに反る場合、一対の弾性接片の先端の接触部の突起の挟持力が大であるので弾性接片の先端が半導体装置の電極面に干渉することにより、半導体装置の電極面を傷つける虞もある。
【０００８】
以上の問題点を考慮し、本発明は、コンタクト端子、および、それを備えるＩＣソケットであって、試験中、ＩＣソケットのソケット本体に載置されたＢＧＡ型のパッケージの半導体装置の電極面が一方向に反った場合、あるいは、電極面が上下に浮き沈む場合であっても、半導体装置の電極部におけるコンタクト端子の可動接点部相互間からの離脱、および、半導体装置の電極部の損傷を回避できるコンタクト端子、および、それを備えるＩＣソケットを提供することを目的とする。
【課題を解決するための手段】
【０００９】
上述の目的を達成するために、本発明に係るコンタクト端子は、半導体装置における球状電極部に選択的に当接する一対の可動片部と、各可動片部の基端部に連結される端子部と、を備え、一対の可動片部のうちの一方の可動片部の接点部は、可動片部の長手方向に沿って所定の間隔をもって互いに向い合って先端に向けて延び、球状電極部の球面に当接し、先端に向けて延びる一対の当接部と、各当接部の先端に交差し当接部の先端に連結され球状電極部を係止する斜面部を有する係止部とを有し、一対の可動片部のうちの他方の可動片部の接点部は、可動片部の長手方向に沿って所定の間隔をもって互いに向い合って先端に向けて延び、球状電極部の球面に当接し、先端に向けて延びる一対の当接部と、各当接部の先端に交差し当接部の先端に連結され球状電極部を係止する斜面部を有する係止部とを有し、当接部の断面の一つの頂点を連ねる稜線が係止部の断面の一つの頂点を連ねる稜線よりもさらに外方に突出し、当接部の稜線が球状電極部の球面に当接し食い込んだ状態のとき、斜面部が、球状電極部の球面における当接部の稜線に対し交差する隣接した部分を係止することを特徴とする。
【００１０】
本発明に係るＩＣソケットは、上述のコンタクト端子を備えるソケット本体部と、ソケット本体部に設けられ、球状電極部を有する半導体装置が着脱可能に載置される半導体装置載置部と、ソケット本体部に移動可能に設けられ、コンタクト端子の一対の可動片部のうちの少なくとも一方を球状電極部に対し近接または離隔させるように作動させる可動片部駆動機構部と、を備えて構成される。
【発明の効果】
【００１１】
本発明に係るコンタクト端子、および、それを備えるＩＣソケットによれば、一対の可動片部のうちの他方の可動片部の接点部は、可動片部の長手方向に沿って所定の間隔をもって互いに向い合って先端に向けて延び、球状電極部の球面に当接し、先端に向けて延びる一対の当接部と、各当接部の先端に交差し当接部の先端に連結され球状電極部を係止する斜面部を有する係止部とを有し、当接部の断面の一つの頂点を連ねる稜線が係止部の断面の一つの頂点を連ねる稜線よりもさらに外方に突出し、当接部の稜線が球状電極部の球面に当接し食い込んだ状態のとき、斜面部が、球状電極部の球面における当接部の稜線に対し交差する隣接した部分を係止するので試験中、ＩＣソケットのソケット本体に載置されたＢＧＡ型のパッケージの半導体装置の電極面が一方向に反った場合、あるいは、電極面が上下に浮き沈む場合であっても、半導体装置の電極部におけるコンタクト端子の可動接点部相互間からの離脱、および、半導体装置の電極部の損傷を回避できる。
【図面の簡単な説明】
【００１２】
【図１】（Ａ）は、本発明に係るコンタクト端子の第１実施例の全体の構成を示す正面図であり、（Ｂ）は、（Ａ）の側面図である。
【図２】本発明に係るＩＣソケットの一例の外観を示す平面図である。
【図３】図２に示される例における正面図である。
【図４】（Ａ）および（Ｂ）は、それぞれ、図２に示される例における動作説明に供される図である。
【図５】（Ａ）は、図１に示される例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図６】（Ａ）は、図１に示される例における接点部がバンプを挟持した状態を拡大して示す図であり、（Ｂ）は、（Ａ）におけるＢ−Ｂ線に沿って示される断面図である。
【図７】（Ａ）および（Ｂ）は、図１に示される例における接点部の動作説明に供される図である。
【図８】（Ａ）および（Ｂ）は、図１に示される例における接点部の動作説明に供される図である。
【図９】（Ａ）は、本発明に係るコンタクト端子の第２実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図１０】図９（Ａ）に示される例における接点部がバンプを挟持した状態を拡大して示す図であり、（Ｂ）は、（Ａ）におけるＢ−Ｂ線に沿って示される断面図である。
【図１１】（Ａ）は、本発明に係るコンタクト端子の第３実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図１２】図１１（Ａ）に示される例における接点部がバンプを挟持した状態を拡大して示す図であり、（Ｂ）は、（Ａ）におけるＢ−Ｂ線に沿って示される断面図である。
【図１３】（Ａ）は、本発明に係るコンタクト端子の第４実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図１４】図１３（Ａ）に示される例における接点部がバンプを挟持した状態を拡大して示す図であり、（Ｂ）は、（Ａ）におけるＢ−Ｂ線に沿って示される断面図である。
【図１５】（Ａ）は、本発明に係るコンタクト端子の第５実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図１６】図１５（Ａ）に示される例における接点部がバンプを挟持した状態を拡大して示す図であり、（Ｂ）は、（Ａ）におけるＢ−Ｂ線に沿って示される断面図である。
【図１７】（Ａ）は、本発明に係るコンタクト端子の第６実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図１８】図１７（Ａ）に示される例における接点部がバンプを挟持した状態を拡大して示す図であり、（Ｂ）は、（Ａ）におけるＢ−Ｂ線に沿って示される断面図である。
【図１９】（Ａ）は、本発明に係るコンタクト端子の第７実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図２０】図１９（Ａ）に示される例における接点部がバンプを挟持した状態を拡大して示す図であり、（Ｂ）は、（Ａ）におけるＢ−Ｂ線に沿って示される断面図である。
【図２１】（Ａ）は、本発明に係るコンタクト端子の第８実施例における接点部を部分的に拡大して示す図であり、（Ｂ）は、（Ａ）の上面図であり、（Ｃ）は、（Ａ）におけるＣ矢視図であり、（Ｄ）は、（Ａ）におけるＤ矢視図である。
【図２２】図２１（Ａ）に示される例における接点部がバンプを挟持した状態を拡大して示す図であり、（Ｂ）は、（Ａ）におけるＢ−Ｂ線に沿って示される断面図である。
【図２３】本発明に係るコンタクト端子の第９実施例の可動片部を、半導体装置のバンプとともに部分的に拡大して示す部分断面図である。
【図２４】図２３におけるＸＸＩＶ−ＸＸＩＶ線に沿って見た矢視図である。
【図２５】本発明に係るコンタクト端子の第９実施例が適用される半導体装置用ソケットの他の一例の要部を部分的に拡大して示す部分断面図である。
【図２６】図２５におけるＸＸＶＩ−ＸＸＶＩ線に沿って見た矢視図である。
【図２７】本発明に係るＩＣソケットの一例に装着される半導体装置の他の一例を、コンタクト端子とともに示す平面図である。
【図２８】（Ａ）および（Ｂ）は、それぞれ、本発明に係るＩＣソケットの他の一例の動作説明に供される部分断面図である。
【発明を実施するための形態】
【００１３】
図３は、本発明に係るコンタクト端子の各実施例が適用されるＩＣソケットの外観を概略的に示す。
【００１４】
図３において、半導体装置用ソケットは、プリント配線基板ＰＢ上に固定され、後述する半導体装置１２を着脱可能に収容する収容部を有するソケット本体部１４と、装着された半導体装置１２の各バンプ（電極部）をプリント配線基板ＰＢの各電極部に電気的に接続するコンタクト端子群ＣＧと、ソケット本体部１４の上方に昇降動可能に設けられコンタクト端子群ＣＧを構成する後述するコンタクト端子１６ａｉの一対の可動片部の接点部を、半導体装置１２の各バンプ（電極部）に対し選択的に当接または離隔させるカバー部材１０と、を含んで構成されている。
【００１５】
ソケット本体部１４における外周面の各辺には、それぞれ、二つの細長い溝が互いに平行に、かつ、プリント配線基板ＰＢの表面に対し略直交するように形成されている。各溝には、それぞれ、後述するカバー部材１０の各爪部が摺動可能に係合されている。各溝の一端には、カバー部材１０が最上端位置をとるとき、各爪部の先端が係止されるように段差部が形成されている。
【００１６】
ソケット本体部１４は、図２に示されるように、試験に供される半導体装置１２を収容する収容部１８Ａを中央に有している略正方形の位置決め部材１８を備えている。半導体装置１２は、例えば、ＢＧＡ型またはＦＢＧＡ型のパッケージを有する正方形の半導体装置とされる。なお、パッケージの形状は、斯かる例に限られることなく、長方形であってもよい。半導体装置１２は、図４（Ｂ）に示されるように、複数の略半球状の電極部としてのバンプ１２ａｉ（ｉ＝１〜ｎ，ｎは正の整数）を縦横に所定の間隔でその下面に有している。その際、半導体装置１２のバンプ１２ａｉのスタンドオフ高さは、例えば、隣接するバンプ１２ａｉの相互間距離およびバンプ１２ａｉの最大直径に応じて規格化されている。
【００１７】
位置決め部材１８は、ソケット本体部１４における内側の基台部（不図示）に支持されている。位置決め部材１８の収容部１８Ａは、半導体装置１２のパッケージが載置される平坦面部（着座面部）と、その平坦面部の周囲にそれぞれ形成される側壁部とにより形成されている。その平坦面部は、その下方のプリント配線基板ＰＢの表面に対し略平行に形成されている。各側壁部の内側における４隅には、それぞれ、装着された半導体装置１２のパッケージの４隅にそれぞれ係合する位置決め部が形成されている。従って、装着される半導体装置１２のパッケージの各隅が、位置決め部にそれぞれ係合されることにより，そのバンプ１２ａｉの後述するコンタクト端子の一対の可動片部に対する位置決めが行なわれることとなる。
【００１８】
また、平坦面部には、コンタクト端子の一対の可動片部の接点部および上述の各バンプがそれぞれ挿入される微細な孔が縦横に形成されている。
【００１９】
ソケット本体部１４における位置決め部材１８の真下となる位置には、可動片作動部材としてのスライダ２０が、図２において、直交座標系における座標軸Ｘに沿って往復動可能にソケット本体部１４に配されている。なお、座標軸Ｘは、図２において、カバー部材１０およびソケット本体部１４の角の頂点１０Ａと頂点１０Ｂとを結ぶ対角線に沿って設定されている。
【００２０】
スライダ２０は、コンタクト端子１６ａｉ（ｉ＝１〜ｎ，ｎは正の整数）の一対の可動片部の接点部の一方を、選択的に互いに近接または離隔させるように、カバー部材１０の昇降動に連動してレバー部材２２を介して移動せしめられるものとされる。スライダ２０は、例えば、ソケット本体部１４に設けられるレバー部材２２を含むリンク機構、または、カバー部材１０に形成されるカム機構を介して移動せしめられる。
【００２１】
スライダ２０は、上述の位置決め部材１８の複数の孔に対応した細長い開口列を複数個有している。隣接する各開口列は、その配列方向に沿った隔壁により区切られている。また、同一の開口列内は、図４（Ａ），（Ｂ）に示されるように、スライダ２０の移動に伴いコンタクト端子の一対の可動片部のうちの一方を押圧移動させる押圧部２０ａｉ（ｉ＝１〜ｎ，ｎは正の整数）により区切られている。コンタクト端子の一対の可動片部は、押圧部２０ａｉを挟んで相対向して配されている。これにより、一対の可動片部の接点部は、それぞれ、開口列内から上方の位置決め部材１８の孔に向けて突出している。
【００２２】
ソケット本体部１４におけるスライダ２０の下端を摺動可能に支持する部分には、コンタクト端子の固定部が圧入される開口部がプリント配線基板ＰＢの表面に対して略垂直に形成されている。各開口部は、隔壁により仕切られて形成されている。
【００２３】
カバー部材１０は、図２に示されるように、着脱される半導体装置１２が通過する略正方形の開口１０ａをその中央部に有している。また、カバー部材１０とソケット本体部１４との間には、カバー部材１０をソケット本体部１４に対し離隔する方向に付勢する付勢部材としてのコイルスプリング２６が設けられている。
【００２４】
本発明に係るコンタクト端子の第１実施例としてのコンタクト端子１６ａｉ（ｉ＝１〜ｎ，ｎは正の整数）は、図１（Ａ）および（Ｂ）に拡大されて示されるように、薄板金属材料で作られ、上述のソケット本体部１４の開口部に圧入される爪部を有する固定部１６Ｋと、固定部１６Ｋの一端側に延びる半田付け端子部１６Ｆと、固定部１６Ｋの他端側に延びる可動片部１６Ａおよび１６Ｂとから構成されている。
【００２５】
弾性変位可能な可動片部１６Ａおよび１６Ｂは、それぞれ、図１（Ａ）および（Ｂ）に拡大されて示されるように、その先端部に接点部１６ａおよび１６ｂを互いに向かい合うように有している。
【００２６】
接点部１６ａは、図５（Ａ）〜（Ｃ）に拡大されて示されるように、一方の表面に各長辺に沿って所定の長さだけ平行に延びる第１当接部１６ａ１および第２当接部１６ａ３と、第１当接部１６ａ１および第２当接部１６ａ３の一端を連結する係止部１６ａ２と、を門型に有している。第１当接部１６ａ１、係止部１６ａ２、および、第２当接部１６ａ３は、それぞれ、略三角形の断面を有している。その三角形断面の一つの頂点は、可動片部１６Ｂに向けて突出している。第１当接部１６ａ１および第２当接部１６ａ３の三角形断面の一つの頂点は、それぞれ、図５（Ｂ）に示されるように、係止部１６ａ２における三角形断面の一つの頂点よりも若干外方に突出している。また、係止部１６ａ２は、図６（Ａ）に示されるように、バンプ１２ａｉの球面を係止するように、可動片部１６Ａの表面に対し所定の角度θをなす右下がりの傾斜面を有している。
【００２７】
接点部１６ｂは、図５（Ａ）、（Ｂ）、および、（Ｄ）に拡大されて示されるように、一方の表面に各長辺に沿って所定の長さだけ平行に延びる第１当接部１６ｂ１および第２当接部１６ｂ３と、第１当接部１６ｂ１および第２当接部１６ｂ３の一端を連結する係止部１６ｂ２と、を門型に有している。第１当接部１６ｂ１、係止部１６ｂ２、および、第２当接部１６ｂ３は、それぞれ、略三角形の断面を有している。その三角形断面の一つの頂点は、可動片部１６Ａに向けて突出している。第１当接部１６ｂ１および第２当接部１６ｂ３の三角形断面の一つの頂点は、それぞれ、図５（Ｂ）に示されるように、係止部１６ｂ２における三角形断面の一つの頂点よりも若干外方に突出している。また、係止部１６ｂ２は、図６（Ａ）に示されるように、接点部１６ａの係止部１６ａ２と同様に、バンプ１２ａｉの球面を係止するように、可動片部１６Ｂの表面に対し所定の角度θをなす左下がりの傾斜面を有している。
【００２８】
斯かる構成において、カバー部材１０が、そのコイルスプリング２６の付勢力に抗して所定の最下端位置まで下降せしめられる場合、スライダ２０および押圧部２０ａｉは、図４（Ｂ）に示されるように、上述のリンク機構またはカム機構を介して左方向に移動せしめられる。これにより、コンタクト端子の一対の可動片部１６Ａおよび１６Ｂのうちの一方の可動片部１６Ｂは、他方の可動片部１６Ａに対し離隔せしめられる。
【００２９】
次に、半導体装置１２が位置決め部材１８の収容部１８Ａに載置された後、カバー部材１０は、その押圧力が解放されるとき、上述のコイルスプリング２６の付勢力により最下端位置から最上端位置まで上昇せしめられる。これにより、図４（Ａ）に示されるように、スライダ２０および押圧部２０ａｉは、コンタクト端子の復元力および図示が省略される付勢部材の付勢力により、右方向に移動せしめられ、従って、コンタクト端子１６ａｉの一対の可動片部１６Ａ，１６Ｂのうちの一方の可動片部１６Ｂは、再び他方の可動片部１６Ａに対し近接される。その結果、収容部１８Ａに装着された半導体装置１２のバンプ１２ａｉは、図６（Ａ）に示されるように、コンタクト端子１６ａｉに電気的に接続されることとなる。
【００３０】
一方、半導体装置１２が位置決め部材１８の収容部１８Ａから取り外される場合、そのコイルスプリング２６の付勢力に抗して上述のカバー部材１０の押圧操作が行なわれることにより、スライダ２０および押圧部２０ａｉが上述と同様に移動せしめられる。
【００３１】
さらに、図７（Ａ）に示されるように、可動片部１６Ａの第１当接部１６ａ１および第２当接部１６ａ３と，可動片部１６Ｂの第１当接部１６ｂ１および第２当接部１６ｂ３とが、半導体装置１２のバンプ１２ａｉの球面に食い込んで挟持した状態で、試験中、図７（Ｂ）に示されるように、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ａの係止部１６ａ２の傾斜面と可動片部１６Ｂの係止部１６ｂ２の傾斜面とが、バンプ１２ａｉの球面を係止することとなる。これにより、半導体装置１２のバンプ１２ａｉが、一対の可動片部１６Ａおよび１６Ｂ相互間から離脱することが回避される。一方、図８（Ａ）に示されるように、可動片部１６Ａの第１当接部１６ａ１および第２当接部１６ａ３と，可動片部１６Ｂの第１当接部１６ｂ１および第２当接部１６ｂ３とが、半導体装置１２のバンプ１２ａｉの球面に食い込んで挟持した状態で、試験中、図８（Ｂ）に示されるように、半導体装置１２の電極面が下向きに反った場合、あるいは、ＩＣソケットに作用した衝撃による振動が原因で電極面が上下に浮き沈む場合、半導体装置１２の電極面が、位置決め部材１８の収容部１８Ａの着座面に当接することにより、可動片部１６Ａおよび１６Ｂの上端面と半導体装置１２の電極面との間に所定の隙間が形成されるので半導体装置１２の電極面が、可動片部１６Ａおよび１６Ｂの上端面により損傷する虞がない。
【００３２】
図９（Ａ）〜（Ｄ）は、本発明に係るコンタクト端子の第２実施例の接点部を拡大して示す。図９（Ａ）〜（Ｄ）において、図５（Ａ）〜（Ｄ）における構成要素と同一の構成要素について同一の符号を付して示し、その重複説明を省略する。
【００３３】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００３４】
なお、上述の固定部および半田付け端子部の構造は、図１（Ａ）に示される例における固定部１６Ｋおよび半田付け端子部１６Ｆの構造と同一の構造とされるのでその説明が省略される。
【００３５】
弾性変位可能な可動片部１６Ａおよび１６Ｂは、それぞれ、その先端部に接点部１６´ａおよび１６ｂを互いに向かい合うように有している。
【００３６】
接点部１６´ａは、図９（Ａ）〜（Ｃ）に拡大されて示されるように、一方の表面に各長辺に沿って所定の長さだけ平行に延びる第１当接部１６´ａ１および第２当接部１６´ａ３を有している。第１当接部１６´ａ１、および、第２当接部１６´ａ３は、それぞれ、略三角形の断面を有している。その三角形断面における一つの頂点は、可動片部１６Ｂに向けて突出している。
【００３７】
斯かる構成において、可動片部１６Ａの第１当接部１６´ａ１および第２当接部１６´ａ３と、可動片部１６Ｂの第１当接部１６ｂ１および第２当接部１６ｂ３とが、図１０（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ｂの係止部１６ｂ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００３８】
図１１（Ａ）〜（Ｄ）は、本発明に係るコンタクト端子の第３実施例の接点部を拡大して示す。図１１（Ａ）〜（Ｄ）において、図５（Ａ）〜（Ｄ）における構成要素と同一の構成要素について同一の符号を付して示し、その重複説明を省略する。
【００３９】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００４０】
なお、上述の固定部および半田付け端子部の構造は、図１（Ａ）に示される例における固定部１６Ｋおよび半田付け端子部１６Ｆの構造と同一の構造とされるのでその説明が省略される。
【００４１】
弾性変位可能な可動片部１６Ａおよび１６Ｂは、それぞれ、その先端部に接点部１６ｄおよび１６ｂを互いに向かい合うように有している。
【００４２】
接点部１６ｄは、図１１（Ａ）〜（Ｃ）に拡大されて示されるように、一方の表面の中央部に長辺に沿って所定の長さだけ延びる第１当接部１６ｄ１を有している。第１当接部１６ｄ１は、略三角形の断面を有している。その三角形断面における一つの頂点は、可動片部１６Ｂに向けて突出している。
【００４３】
斯かる構成において、可動片部１６Ａの第１当接部１６ｄ１と、可動片部１６Ｂの第１当接部１６ｂ１および第２当接部１６ｂ３とが、図１２（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ｂの係止部１６ｂ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００４４】
図１３（Ａ）〜（Ｄ）は、本発明に係るコンタクト端子の第４実施例の接点部を拡大して示す。図１３（Ａ）〜（Ｄ）において、図５（Ａ）〜（Ｄ）における構成要素と同一の構成要素について同一の符号を付して示し、その重複説明を省略する。
【００４５】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００４６】
なお、上述の固定部および半田付け端子部の構造は、図１（Ａ）に示される例における固定部１６Ｋおよび半田付け端子部１６Ｆの構造と同一の構造とされるのでその説明が省略される。
【００４７】
弾性変位可能な可動片部１６Ａおよび１６Ｂは、それぞれ、その先端部に接点部１６ｅおよび１６ｂを互いに向かい合うように有している。
【００４８】
接点部１６ｅは、図１３（Ａ）〜（Ｃ）に拡大されて示されるように、一方の表面の右端に長辺に沿って所定の長さだけ延びる第１当接部１６ｅ１を有している。第１当接部１６ｅ１は、略三角形の断面を有している。その三角形断面における一つの頂点は、可動片部１６Ｂに向けて突出している。
【００４９】
斯かる構成において、可動片部１６Ａの第１当接部１６ｅ１と、可動片部１６Ｂの第１当接部１６ｂ１および第２当接部１６ｂ３とが、図１４（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ｂの係止部１６ｂ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００５０】
図１５（Ａ）〜（Ｄ）は、本発明に係るコンタクト端子の第５実施例の接点部を拡大して示す。図１５（Ａ）〜（Ｄ）において、図５（Ａ）〜（Ｄ）における構成要素と同一の構成要素について同一の符号を付して示し、その重複説明を省略する。
【００５１】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００５２】
なお、上述の固定部および半田付け端子部の構造は、図１（Ａ）に示される例における固定部１６Ｋおよび半田付け端子部１６Ｆの構造と同一の構造とされるのでその説明が省略される。
【００５３】
弾性変位可能な可動片部１６Ａおよび１６Ｂは、それぞれ、その先端部に接点部１６ｆおよび１６ｂを互いに向かい合うように有している。
【００５４】
接点部１６ｆは、図１５（Ａ）〜（Ｃ）に拡大されて示されるように、一方の表面に長辺に沿って所定の長さだけ延びる第１当接部１６ｆ１および第２当接部１６ｆ２を所定の間隔をもって有している。第１当接部１６ｆ１および第２当接部１６ｆ２の一端は、接点部１６ｆの先端に向うにつれた徐々に互いに近接するように所定の勾配で傾斜している。第１当接部１６ｆ１および１６ｆ２は、略三角形の断面を有している。その三角形断面における一つの頂点は、可動片部１６Ｂに向けて突出している。
【００５５】
斯かる構成において、可動片部１６Ａの第１当接部１６ｆ１および１６ｆ２と、可動片部１６Ｂの第１当接部１６ｂ１および第２当接部１６ｂ３とが、図１６（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ｂの係止部１６ｂ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００５６】
図１７は、（Ａ）〜（Ｄ）は、本発明に係るコンタクト端子の第６実施例の接点部を拡大して示す。
【００５７】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００５８】
なお、上述の固定部および半田付け端子部の構造は、図１（Ａ）に示される例における固定部１６Ｋおよび半田付け端子部１６Ｆの構造と同一の構造とされるのでその説明が省略される。
【００５９】
弾性変位可能な可動片部１６Ａおよび１６Ｂは、それぞれ、その先端部に接点部１６ｈおよび１６ｇを互いに向かい合うように有している。
【００６０】
接点部１６ｈは、図１５（Ａ）〜（Ｃ）に拡大されて示されるように、一方の表面に長辺に沿って所定の長さだけ延びる第１当接部１６ｈ１と、第１当接部１６ｈ１の一端に交差する係止部１６ｈ２と有している。第１当接部１６ｈ１および係止部１６ｈ２は、それぞれ、略三角形の断面を有している。その三角形断面における一つの頂点は、可動片部１６Ｂに向けて突出している。第１当接部１６ｈ１の三角形断面の一つの頂点は、それぞれ、図１７（Ｂ）に示されるように、係止部１６ｈ２における三角形断面の一つの頂点よりも若干外方に突出している。また、係止部１６ｈ２は、図１８（Ａ）に示されるように、バンプ１２ａｉの球面を係止するように、可動片部１６Ａの表面に対し所定の角度θをなす右下がりの傾斜面を有している。
【００６１】
接点部１６ｇは、図１５（Ａ）、（Ｂ）、（Ｄ）に拡大されて示されるように、一方の表面に長辺に沿って所定の長さだけ延びる第１当接部１６ｇ１と、第１当接部１６ｇ１の一端に交差する係止部１６ｇ２と有している。第１当接部１６ｇ１および係止部１６ｇ２は、それぞれ、略三角形の断面を有している。その三角形断面における一つの頂点は、可動片部１６Ａに向けて突出している。第１当接部１６ｇ１の三角形断面の一つの頂点は、図１７（Ｂ）に示されるように、係止部１６ｇ２における三角形断面の一つの頂点よりも若干外方に突出している。また、係止部１６ｇ２は、図１８（Ａ）に示されるように、バンプ１２ａｉの球面を係止するように、可動片部１６Ｂの表面に対し所定の角度θをなす左下がりの傾斜面を有している。
【００６２】
斯かる構成において、可動片部１６Ａの第１当接部１６ｈ１と、可動片部１６Ｂの第１当接部１６ｇ１が、図１８（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ａの係止部１６ｈ２および可動片部１６Ｂの係止部１６ｇ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００６３】
図１９（Ａ）〜（Ｄ）は、本発明に係るコンタクト端子の第７実施例の接点部を拡大して示す。
【００６４】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００６５】
なお、上述の固定部および半田付け端子部の構造は、図１（Ａ）に示される例における固定部１６Ｋおよび半田付け端子部１６Ｆの構造と同一の構造とされるのでその説明が省略される。
【００６６】
弾性変位可能な可動片部１６Ａおよび１６Ｂは、それぞれ、その先端部に接点部１６ｋおよび１６ｊを互いに向かい合うように有している。
【００６７】
接点部１６ｋは、図１９（Ａ）〜（Ｃ）に拡大されて示されるように、一方の表面に長辺に沿って所定の長さだけ延びる第１当接部１６ｋ１、および、第２当接部１６ｋ３と、
第１当接部１６ｋ１および第２当接部１６ｋ３の一端を連結する係止部１６ｋ２と有している。第１当接部１６ｋ１および第２当接部１６ｋ３は、所定の間隔をもって、接点部１６ｋの先端に向うにつれて互いに一端が徐々に近接するように形成されている。
【００６８】
第１当接部１６ｋ１および第２当接部ｋ３、係止部１６ｋ２は、それぞれ、略三角形の断面を有している。その三角形断面における一つの頂点は、可動片部１６Ｂに向けて突出している。
【００６９】
第１当接部１６ｋ１および第２当接部ｋ３の三角形断面の一つの頂点は、それぞれ、図１９（Ｂ）に示されるように、係止部１６ｋ２における三角形断面の一つの頂点よりも若干外方に突出している。また、係止部１６ｋ２は、図２０（Ａ）に示されるように、バンプ１２ａｉの球面を係止するように、可動片部１６Ａの表面に対し所定の角度θをなす右下がりの傾斜面を有している。
【００７０】
接点部１６ｊは、図１９（Ａ）、（Ｂ）、（Ｄ）に拡大されて示されるように、一方の表面に長辺に沿って所定の長さだけ延びる第１当接部１６ｊ１、および、第２当接部１６ｊ３と、第１当接部１６ｊ１および第２当接部１６ｊ３の一端を連結する係止部１６ｊ２と有している。第１当接部１６ｊ１および第２当接部１６ｊ３は、所定の間隔をもって、接点部１６ｊの先端に向うにつれて互いに一端が徐々に近接するように形成されている。
【００７１】
第１当接部１６ｊ１および第２当接部ｊ３、係止部１６ｊ２は、それぞれ、略三角形の断面を有している。その三角形断面における一つの頂点は、可動片部１６Ａに向けて突出している。
【００７２】
第１当接部１６ｊ１および第２当接部ｊ３の三角形断面の一つの頂点は、それぞれ、図１９（Ｂ）に示されるように、係止部１６ｊ２における三角形断面の一つの頂点よりも若干外方に突出している。また、係止部１６ｊ２は、図２０（Ａ）に示されるように、バンプ１２ａｉの球面を係止するように、可動片部１６Ｂの表面に対し所定の角度θをなす左下がりの傾斜面を有している。
【００７３】
斯かる構成において、可動片部１６Ａの第１当接部１６ｋ１および第２当接部１６ｋ３と、可動片部１６Ｂの第１当接部１６ｊ１および第２当接部１６ｊ３が、図２０（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ａの係止部１６ｋ２および可動片部１６Ｂの係止部１６ｊ２の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００７４】
図２１（Ａ）〜（Ｄ）は、本発明に係るコンタクト端子の第８実施例の接点部を拡大して示す。
【００７５】
コンタクト端子は、薄板金属材料で作られ、上述のソケット本体部１４の開口部に圧入される爪部を有する固定部（不図示）と、固定部の一端側に延びる半田付け端子部（不図示）と、固定部の他端側に延びる可動片部１６Ａおよび１６Ｂとから構成されている。
【００７６】
なお、上述の固定部および半田付け端子部の構造は、図１（Ａ）に示される例における固定部１６Ｋおよび半田付け端子部１６Ｆの構造と同一の構造とされるのでその説明が省略される。
【００７７】
弾性変位可能な可動片部１６Ａおよび１６Ｂは、それぞれ、その先端部に接点部１６ｍおよび１６ｎを互いに向かい合うように有している。
【００７８】
接点部１６ｍは、図２１（Ａ）〜（Ｃ）に拡大されて示されるように、一方の表面の中央部に長辺に沿って所定の長さだけ延びる第１当接部１６ｍ２と、第１当接部１６ｍ２の一端に交差する第１係止部１６ｍ１および第２係止部１６ｍ３とを有している。第１当接部１６ｍ２、第１係止部１６ｍ１および第２係止部１６ｍ３は、それぞれ、略三角形の断面を有している。その三角形断面における一つの頂点は、可動片部１６Ｂに向けて突出している。
【００７９】
第１当接部１６ｍ２の三角形断面の一つの頂点は、それぞれ、図２１（Ｂ）に示されるように、第１係止部１６ｍ１および第２係止部１６ｍ３における三角形断面の一つの頂点よりも若干外方に突出している。また、第１係止部１６ｍ１および第２係止部１６ｍ３は、図２２（Ａ）に示されるように、バンプ１２ａｉの球面を係止するように、可動片部１６Ａの表面に対し所定の角度θをなす右下がりの傾斜面を有している。
【００８０】
接点部１６ｎは、図２１（Ａ）、（Ｂ）、（Ｄ）に拡大されて示されるように、一方の表面の中央部に長辺に沿って所定の長さだけ延びる第１当接部１６ｎ２と、第１当接部１６ｎ２の一端に交差する第１係止部１６ｎ１および第２係止部１６ｎ３とを有している。第１当接部１６ｎ２、第１係止部１６ｎ１および第２係止部１６ｎ３は、それぞれ、略三角形の断面を有している。その三角形断面における一つの頂点は、可動片部１６Ａに向けて突出している。
【００８１】
第１当接部１６ｎ２の三角形断面の一つの頂点は、それぞれ、図２１（Ｂ）に示されるように、第１係止部１６ｎ１および第２係止部１６ｎ３における三角形断面の一つの頂点よりも若干外方に突出している。また、第１係止部１６ｎ１および第２係止部１６ｎ３は、図２２（Ａ）に示されるように、バンプ１２ａｉの球面を係止するように、可動片部１６Ｂの表面に対し所定の角度θをなす左下がりの傾斜面を有している。
【００８２】
斯かる構成において、可動片部１６Ａの第１当接部１６ｍ２と、可動片部１６Ｂの第１当接部１６ｎ２が、図２２（Ａ）および（Ｂ）に示されるように、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部１６Ａの第１係止部１６ｍ１、第２係止部１６ｍ３の傾斜面、可動片部１６Ｂの第１係止部１６ｎ１および第２係止部１６ｎ３の傾斜面が、バンプ１２ａｉの球面を係止することとなる。これにより、半導体装置１２のバンプ１２ａｉが、一対の可動片部１６Ａおよび１６Ｂ相互間から離脱することが回避される。
【００８３】
図２３は、本発明に係るコンタクト端子の第９実施例の可動片部を、半導体装置のバンプとともに拡大して示す。
【００８４】
半導体装置用ソケットは、図示が省略されるが、プリント配線基板上に固定され、半導体装置１２を着脱可能に収容する収容部を有するソケット本体部と、装着された半導体装置１２の各バンプ（電極部）１２ａｉをプリント配線基板の各電極部に電気的に接続するコンタクト端子群ＣＧと、ソケット本体部の上方に昇降動可能に設けられコンタクト端子群ＣＧを構成する後述するコンタクト端子２６ａｉの可動片部２６Ａの接点部を、半導体装置１２の各バンプ（電極部）１２ａｉに対し選択的に当接または離隔させるカバー部材（不図示）と、を含んで構成されている。
【００８５】
半導体装置１２は、図２４に示されるように、例えば、ＢＧＡ型またはＦＢＧＡ型のパッケージを有する略正方形の半導体装置とされる。半導体装置１２は、略半球状の電極部としてのバンプ１２ａｉ（ｉ＝１〜ｎ，ｎは正の整数）を、例えば、縦横に所定の間隔でその下面に偶数列有している。
【００８６】
ソケット本体部は、図２３に示されるように、試験に供される半導体装置１２を収容する収容部２８Ａを中央に有している略正方形の位置決め部材２８を備えている。収容部２８Ａの底部を形成する底壁には、複数のコンタクト端子２６ａｉの可動片部２６Ａが挿入される開口部２８ａが形成されている。
【００８７】
ソケット本体部における位置決め部材２８の真下となる位置には、可動片作動部材としてのスライダ３０が、図２３において、矢印の示す方向に沿って昇降動可能にソケット本体部に配されている。なお、矢印Ｕは、図２３において、スライダ３０が上昇する方向を示し、矢印Ｄは、スライダ３０が下降する方向を示す。図２３は、スライダ３０が最大に上昇した位置を示す。
【００８８】
スライダ３０は、コンタクト端子２６ａｉの可動片部２６Ａの接点部を、バンプ１２ａｉに対し選択的に近接または離隔させるように、カバー部材の昇降動に連動してレバー部材（不図示）を介して移動せしめられるものとされる。スライダ３０は、例えば、ソケット本体部に設けられるレバー部材を含むリンク機構、または、カバー部材に形成されるカム機構を介して移動せしめられる。
【００８９】
スライダ３０は、上述の装着された半導体装置１２の各バンプに対応した細孔を複数個有している。同一列における隣接する細孔は、その配列方向に沿った隔壁３０ａｉ（ｉ＝１〜ｎ，ｎは正の整数）により区切られている。また、細孔を形成する隣接した隔壁３０ａｉのうちの一方の壁面には、スライダ３０の昇降動に伴いコンタクト端子の可動片部２６Ａを、スライダ３０の移動方向に対し直交する方向に押圧移動させる押圧部が形成されている。スライダ３０における押圧部は、装着された半導体装置１２の半球状の各バンプ１２ａｉの一方の球面（第１の面）１２ａｓ１の真下となる位置、または、他方の球面（第２の面）１２ａｓ２の真下となる位置に対応している。コンタクト端子２６ａｉの可動片部２６Ａは、上述の押圧部に向き合って細孔内に移動可能に配されている。これにより、後述する可動片部２６Ａの接点部は、細孔内から上方の位置決め部材２８の開口部２８ａを介して各バンプ１２ａｉに向けて突出している。スライダ３０における押圧部が矢印Ｄの示す方向に移動せしめられる場合、可動片部２６Ａの接点部が、各バンプ１２ａｉの一方の球面（第１の面）１２ａｓ１、または、他方の球面（第２の面）１２ａｓ２から離隔され、一方、スライダ３０における押圧部が矢印Ｕの示す方向に移動せしめられる場合、可動片部２６Ａの接点部が、各バンプ１２ａｉの一方の球面（第１の面）１２ａｓ１、または、他方の球面（第２の面）１２ａｓ２に近接せしめられる。
【００９０】
図４（Ａ）に示される例においては、コンタクト端子１６ａｉは、一対の可動片部１６Ａおよび１６Ｂを有するものとされるが、その代わりに、図２３に示される例においては、コンタクト端子２６ａｉ（ｉ＝１〜ｎ，ｎは正の整数）は、１本の可動片部２６Ａを有するものとされる。
【００９１】
コンタクト端子２６ａｉは、薄板金属材料で作られ、上述のソケット本体部の開口部に圧入される爪部を有する固定部（不図示）と、その固定部の一端側に延びる半田付け端子部（不図示）と、その固定部の他端側に延びる可動片部２６Ａとから構成されている。
【００９２】
各コンタクト端子２６ａｉにおける弾性変位可能な可動片部２６Ａは、その先端部に上述の第１の面１２ａｓ１、または、第２の面１２ａｓ２に選択的に当接する接点部を有している。図２３においては、接点部２６ａは、例えば、上述の図５（Ｃ）に拡大されて示される例と同様に、一方の表面に各長辺に沿って所定の長さだけ平行に延びる第１当接部および第２当接部と、第１当接部および第２当接部の一端を連結する係止部と、を門型に有している。第１当接部、係止部、および、第２当接部は、それぞれ、略三角形の断面を有している。その三角形断面の一つの頂点は、バンプの第１の面１２ａｓ１、または、第２の面１２ａｓ２に向けて突出している。第１当接部および第２当接部の三角形断面の一つの頂点は、それぞれ、図５（Ｂ）に示されるように、係止部における三角形断面の一つの頂点よりも若干外方に突出している。また、係止部は、バンプ１２ａｉの球面を係止するように、可動片部２６Ａの表面に対し所定の角度θをなす傾斜面を有している。
【００９３】
斯かる構成において、カバー部材が、そのコイルスプリングの付勢力に抗して所定の最下端位置まで下降せしめられる場合、スライダ３０および押圧部は、上述のリンク機構またはカム機構を介して矢印Ｄの示す方向に移動せしめられる。これにより、各コンタクト端子の可動片部２６Ａは、各バンプ１２ａｉに対し離隔せしめられる。
【００９４】
次に、半導体装置１２が位置決め部材２８の収容部２８Ａに載置された後、カバー部材は、その押圧力が解放されるとき、上述のコイルスプリングの付勢力により最下端位置から最上端位置まで上昇せしめられる。これにより、スライダ３０および押圧部は、コンタクト端子の復元力および図示が省略される付勢部材の付勢力により、矢印Ｕの示す方向に移動せしめられ、従って、コンタクト端子２６ａｉの可動片部２６Ａは、再び各バンプ１２ａｉに対し近接される。その結果、収容部２８Ａに装着された半導体装置１２のバンプ１２ａｉは、コンタクト端子２６ａｉに電気的に接続されることとなる。
【００９５】
一方、半導体装置１２が位置決め部材２８の収容部２８Ａから取り外される場合、そのコイルスプリングの付勢力に抗して上述のカバー部材の押圧操作が行なわれることにより、スライダ３０および押圧部が上述と同様に移動せしめられる。
【００９６】
さらに、可動片部２６Ａの接点部２６ａの第１当接部および第２当接部が、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部２６Ａの係止部の傾斜面が、バンプ１２ａｉの球面を係止することとなる。これにより、半導体装置１２のバンプ１２ａｉが、一対の可動片部２６Ａから離脱することが回避される。
【００９７】
図２５は、上述の本発明に係るコンタクト端子の第９実施例が適用されるＩＣソケットの他の一例の要部を示す。
【００９８】
半導体装置用ソケットは、図示が省略されるが、プリント配線基板上に固定され、半導体装置１２を着脱可能に収容する収容部を有するソケット本体部と、装着された半導体装置１２の各バンプ（電極部）１２ａｉをプリント配線基板の各電極部に電気的に接続するコンタクト端子群ＣＧと、ソケット本体部の上方に昇降動可能に設けられコンタクト端子群ＣＧを構成する後述するコンタクト端子２６ａｉの可動片部２６Ａの接点部を、半導体装置１２の各バンプ（電極部）１２ａｉに対し選択的に当接または離隔させるカバー部材（不図示）と、を含んで構成されている。
【００９９】
なお、図２５および図２６において、図２３に示される例における構成要素と同一の構成要素について同一の符号を付して示し、その重複説明を省略する。
【０１００】
ソケット本体部における位置決め部材２８の真下となる位置には、可動片作動部材としてのスライダ４０および４２が、それぞれ、図２５において、矢印Ｌ、矢印Ｒに沿って往復動可能にソケット本体部に配されている。なお、矢印Ｌは、図２５において、スライダ４０が左に移動する方向を示し、矢印Ｒは、スライダ４２が右に移動する方向を示す。図２５は、スライダ４０および４２の初期位置を示す。
【０１０１】
スライダ４０および４２は、コンタクト端子２６ａｉの可動片部２６Ａの接点部を、選択的にバンプ１２ａｉに対し近接または離隔させるように、カバー部材の昇降動に連動してレバー部材（不図示）を介して移動せしめられるものとされる。スライダ４０および４２は、上下に重ねられて配置され、例えば、ソケット本体部に設けられるレバー部材を含むリンク機構、または、カバー部材に形成されるカム機構を介して移動せしめられる。
【０１０２】
スライダ４０は、上述の装着された半導体装置１２の各バンプに対応した細孔を複数個有している。同一列における隣接する細孔は、その配列方向に沿った隔壁４０ａｉ（ｉ＝１〜ｎ，ｎは正の整数）により区切られている。また、細孔を形成する隣接した隔壁４０ａｉのうちの一方の壁面には、スライダ４０の往復動に伴いコンタクト端子の可動片部２６Ａを、スライダ４０の移動方向に押圧移動させる押圧部が形成されている。スライダ４０における押圧部は、装着された半導体装置１２の半球状の各バンプ１２ａｉの他方の球面（第２の面）１２ａｓ２の真下となる位置に対応している。コンタクト端子２６ａｉの可動片部２６Ａは、上述の押圧部に向き合って細孔内に移動可能に配されている。
【０１０３】
スライダ４２は、上述の装着された半導体装置１２の各バンプに対応した細孔を複数個有している。同一列における隣接する細孔は、その配列方向に沿った隔壁４２ａｉ（ｉ＝１〜ｎ，ｎは正の整数）により区切られている。また、細孔を形成する隣接した隔壁４２ａｉのうちの一方の壁面には、スライダ４２の往復動に伴いコンタクト端子の可動片部２６Ａを、スライダ４２の移動方向に押圧移動させる押圧部が形成されている。スライダ４２における押圧部は、装着された半導体装置１２の半球状の各バンプ１２ａｉの一方の球面（第１の面）１２ａｓ１の真下となる位置に対応している。コンタクト端子２６ａｉの可動片部２６Ａは、上述の押圧部に向き合って細孔内に移動可能に配されている。
【０１０４】
これにより、後述する可動片部２６Ａの接点部は、細孔内から上方の位置決め部材２８の開口部２８ａを介して各バンプ１２ａｉに向けて突出している。スライダ４０における押圧部が矢印Ｌの方向に移動せしめられるとともに、スライダ４２における押圧部が矢印Ｒの方向に移動せしめられる場合、可動片部２６Ａの接点部が、各バンプ１２ａｉの一方の球面（第１の面）１２ａｓ１、または、他方の球面（第２の面）１２ａｓ２から離隔され、一方、スライダ４０における押圧部が矢印Ｌの方向とは逆方向に移動せしめられるとともに、スライダ４２における押圧部が矢印Ｒの方向とは逆方向に移動せしめられる場合、図２６に示されるように、可動片部２６Ａの接点部が、各バンプ１２ａｉの一方の球面（第１の面）１２ａｓ１、または、他方の球面（第２の面）１２ａｓ２に近接せしめられる。
【０１０５】
斯かる構成においても、可動片部２６Ａの接点部２６ａの第１当接部および第２当接部が、半導体装置１２のバンプ１２ａｉの球面に食い込んで挟持した状態で、試験中、半導体装置１２の電極面が上向きに反った場合、あるいは、ＩＣソケットに作用した衝撃による振動が原因で電極面が上下に浮き沈む場合、バンプ１２ａｉが上昇せしめられるとき、可動片部２６Ａの係止部の傾斜面が、バンプ１２ａｉの球面を係止することとなる。これにより、半導体装置１２のバンプ１２ａｉが、一対の可動片部２６Ａから離脱することが回避される。
【０１０６】
なお、上述の例においては、半導体装置１２は、略半球状の電極部としてのバンプ１２ａｉ（ｉ＝１〜ｎ，ｎは正の整数）を、縦横に所定の間隔でその下面に偶数列有しているが、斯かる例に限られることなく、例えば、図２７に示されるように、半導体装置１２´が、略半球状の電極部としてのバンプ１２´ａｉ（ｉ＝１〜ｎ，ｎは正の整数）を、縦横に所定の間隔でその下面に奇数列有しているものであってもよい。このような半導体装置１２´が、ソケット本体部の収容部に装着される場合、例えば、図２３に示されるような、スライダが用いられても良い。そのスライダは、コンタクト端子２６ａｉの可動片部２６Ａの接点部を、バンプ１２ａｉに対し選択的に近接または離隔させるように、カバー部材の昇降動に連動してレバー部材（不図示）を介して移動せしめられる。
【０１０７】
図２８（Ａ）および（Ｂ）は、上述の本発明に係るコンタクト端子の第９実施例が適用される半導体装置用ソケットのさらなる他の一例の要部を示す。
【０１０８】
図２３および図２５に示される例においては、装着された半導体装置１２のバンプ１２ａｉが、複数のコンタクト端子２６ａｉの可動片部２６Ａの接点部に作用する押圧力だけにより保持されているが、その代わりに、図２８（Ａ）および（Ｂ）に示される例においては、装着された半導体装置１２のバンプ１２ａｉが、整列板３８の隔壁３８Ｐｉ（ｉ＝１〜ｎ，ｎは正の整数）の壁面とコンタクト端子２６ａｉの可動片部２６Ａの接点部２６ａとにより挟持されることにより保持されるものとされる。
【０１０９】
半導体装置用ソケットは、図示が省略されるが、プリント配線基板上に固定され、半導体装置１２を着脱可能に収容する収容部を有するソケット本体部と、装着された半導体装置１２の各バンプ（電極部）１２ａｉをプリント配線基板の各電極部に電気的に接続するコンタクト端子群ＣＧと、ソケット本体部の上方に昇降動可能に設けられコンタクト端子群ＣＧを構成する後述するコンタクト端子２６ａｉの可動片部２６Ａの接点部を、半導体装置１２の各バンプ（電極部）１２ａｉに対し選択的に当接または離隔させるカバー部材（不図示）と、を含んで構成されている。
【０１１０】
ソケット本体部は、試験に供される半導体装置１２を収容する収容部を中央に有している略正方形の位置決め部材を備えている。位置決め部材の収容部の底部を形成する底壁には、整列板３８が配されている。整列板３８は、図２８（Ａ）に示されるように、複数のコンタクト端子２６ａｉの可動片部２６Ａおよびバンプ１２ａｉがそれぞれ挿入される複数の細孔を有している。隣接する細孔列は、仕切壁により仕切られている。同一列の細孔は、向かい合って形成される隔壁３８Ｐｉにより仕切られている。
【０１１１】
ソケット本体部における位置決め部材の真下となる位置には、可動片作動部材としてのスライダ（不図示）が、往復動可能にソケット本体部に配されている。
【０１１２】
スライダが一方向に移動せしめられる場合、図２８（Ａ）に示されるように、可動片部２６Ａの接点部２６ａが、各バンプ１２ａｉの一方の球面から離隔され、一方、スライダが他方向に移動せしめられる場合、可動片部２６Ａの接点部２６ａが、図２８（Ｂ）に示されるように、各バンプ１２ａｉの一方の球面に近接せしめられる。これにより、各バンプ１２ａｉが、可動片部２６Ａの接点部２６ａおよび隔壁３８Ｐｉの壁面により挟持されることとなる。
【０１１３】
なお、本発明に係るコンタクト端子の実施例は、上述の例に限られることなく、コンタクト端子が、例えば、図９（Ｃ）に示される接点部、あるいは、図１３（Ｃ）に示される接点部と、図１７（Ｃ）に示される接点部と備えるものであってもよい。また、コンタクト端子が、例えば、図１７（Ｃ）に示される接点部と、図１１（Ｃ）に示される接点部、あるいは、図１５（Ｃ）に示される接点部とを備えるものであってもよい。さらに、コンタクト端子が、例えば、図２１（Ｃ）に示される接点部と、図１１（Ｃ）に示される接点部、あるいは、図１３（Ｃ）に示される接点部とを備えるものであってもよい。さらにまた、コンタクト端子は、少なくとも一方の可動片部が、上述した各実施例に用いられた接点部の係止部を備え、他方の可動片部が、上述した各実施例に用いられた接点部の当接部を備えるように、接点部の如何なる組み合わせが用いられてもよいことは勿論である。
【０１１４】
本発明に係るＩＣソケットの一例においては、可動片作動部材としてのスライダがプリント配線基板ＰＢの表面に対し略平行に移動することにより、一対の可動片部のうちの一方を移動させるように構成されているが、斯かる例に限られることなく、例えば、可動片作動部材がプリント配線基板ＰＢの表面に対し略垂直方向に移動することにより、一対の可動片部の双方を互いに離隔または近接するように構成されるものであってもよい。
【符号の説明】
【０１１５】
１０    カバー部材
１２    半導体装置
１２ａｉ    バンプ
１４    ソケット本体部
１６Ａ、１６Ｂ    可動片部
１６ａｉ、２６ａｉ    コンタクト端子
２０、３０、４０，４２    スライダ
１６ａ、１６ｂ、１６´ａ、１６ｄ、１６ｅ、１６ｆ、１６ｇ、１６ｈ、１６ｊ、１６ｋ、１６ｍ、１６ｎ    接点部
１６ａ１、１６ｂ１    第１当接部
１６ａ３、１６ｂ３    第２当接部
１６ａ２、１６ｂ２    係止部
【図１】
2020061378.tif 000003
【図２】
2020061378.tif 000004
【図３】
2020061378.tif 000005
【図４】
2020061378.tif 000006
【図５】
2020061378.tif 000007
【図６】
2020061378.tif 000008
【図７】
2020061378.tif 000009
【図８】
2020061378.tif 000010
【図９】
2020061378.tif 000011
【図１０】
2020061378.tif 000012
【図１１】
2020061378.tif 000013
【図１２】
2020061378.tif 000014
【図１３】
2020061378.tif 000015
【図１４】
2020061378.tif 000016
【図１５】
2020061378.tif 000017
【図１６】
2020061378.tif 000018
【図１７】
2020061378.tif 000019
【図１８】
2020061378.tif 000020
【図１９】
2020061378.tif 000021
【図２０】
2020061378.tif 000022
【図２１】
2020061378.tif 000023
【図２２】
2020061378.tif 000024
【図２３】
2020061378.tif 000025
【図２４】
2020061378.tif 000026
【図２５】
2020061378.tif 000027
【図２６】
2020061378.tif 000028
【図２７】
2020061378.tif 000029
【図２８】
2020061378.tif 000030